(57)【要約】【課題】自動合焦動作後にさらに手動合焦動作を行う場合において、より適切な露出制御を行うことが可能なデジタルカメラを提供する。【解決手段】このデジタルカメラは、３つの露出制御方式を有している。１つは平均測光方式であり、他の２つは追従方式および非追従方式である。追従方式においては、ダイレクトマニュアルフォーカス操作後において、その測光中心位置が異なる複数の測光パターンの中から、撮影レンズ２のレンズ位置に応じた測光パターン（測光領域）を対象測光パターン（対象測光領域）として選択し、その対象測光パターンに関する評価値に基づいて露出制御を行う。非追従方式においては、対象測光パターンを変更せず、予め定められた測光パターンを対象測光パターンとして用いて露出制御を行う。平均測光方式においては、予め定められた専用の測光パターンに基づいて露出制御を行う。【選択図】　　　　図１９
2004085914.tif 000002
【特許請求の範囲】
【請求項１】
デジタルカメラであって、
撮影レンズと、
前記撮影レンズを介して被写体の画像を撮像する撮像手段と、
前記撮像手段により撮像された画像内の合焦状態評価領域についての合焦用評価値を用いて前記撮影レンズの焦点位置を調整する自動合焦制御手段と、
前記自動合焦制御手段による前記焦点位置の調整後に、手動操作に応じて前記撮影レンズのレンズ位置を移動させて前記焦点位置をさらに調整する手動合焦動作を行う手動合焦制御手段と、
その測光中心位置が互いに異なる複数の測光領域の中から、前記手動合焦動作後のレンズ位置に応じた測光領域を対象測光領域として選択し、当該対象測光領域に関する露出制御用の評価値に基づいて露出制御パラメータの値を決定する第１方式の露出制御を行うことが可能な露出制御手段と、
を備えることを特徴とするデジタルカメラ。
【請求項２】
請求項１に記載のデジタルカメラにおいて、
前記露出制御手段による露出制御方式を、前記第１方式と平均測光方式とを含む複数の方式のいずれかに設定する設定手段、
をさらに備え、
前記露出制御手段は、前記露出制御方式として前記平均測光方式が設定されているときには、前記レンズ位置の変更に応じて測光領域を変更して露出制御を行うのではなく、前記平均測光方式に用いられる所定の測光領域に関する評価値に基づいて露出制御を行うことを特徴とするデジタルカメラ。
【請求項３】
請求項１に記載のデジタルカメラにおいて、
前記露出制御手段による露出制御方式を、前記第１方式と前記測光領域の変更を伴わない第２方式とを含む複数の方式のいずれかに設定する設定手段、
をさらに備え、
前記露出制御手段は、前記設定手段により設定された方式に基づいて、露出制御を行うことを特徴とするデジタルカメラ。
【請求項４】
請求項１に記載のデジタルカメラにおいて、
露出状態の変動を禁止し露出制御パラメータの値を固定するＡＥロックを設定するＡＥロック設定手段、
をさらに備え、
前記露出制御手段は、前記ＡＥロックが設定されている場合には前記ＡＥロックを前記第１方式の露光制御に優先させ、手動操作によりレンズ位置が移動されたときでも露出状態の変動を禁止することを特徴とするデジタルカメラ。
【請求項５】
請求項１に記載のデジタルカメラにおいて、
前記露出制御手段は、前記第１方式の露出制御において、複数の合焦状態評価領域の中から、その合焦用評価値が前記手動合焦動作後の前記レンズ位置において所定値よりも大きな値を有するという条件に適合する合焦状態評価領域である適合領域が存在するときには、前記適合領域に対応する測光領域を前記対象測光領域として選択し、前記適合領域が存在しないときには、予め定められた測光領域を前記対象測光領域として選択することを特徴とするデジタルカメラ。
【発明の詳細な説明】
【０００１】
【発明の属する技術分野】
本発明は、デジタルカメラに関し、特にデジタルカメラの露出制御技術に関する。
【０００２】
【従来の技術】
デジタルカメラの中には、画像内の所定のＡＥエリアにおける輝度値に基づいて露出状態を制御する自動露出制御、および画像内の所定のＡＦエリアにおけるコントラスト値等に基づいて合焦状態を制御する自動合焦制御を行うものが存在する。また、このようなデジタルカメラにおいては、自動露出制御用のＡＥエリアは、一般に、山登り方式の自動合焦制御用のＡＦエリアと一致するように設定される。なお、このような技術は例えば特開平１１−２３９２９１号公報に記載されている。
【０００３】
ところで、自動合焦制御においては、遠近競合等のために所望の被写体が合焦状態になっていない場合がある。このような事態を解消するため、自動合焦動作後に手動合焦動作を行うダイレクトマニュアルフォーカス（以下、単にＤＭＦとも称する）が行われることがある。このような技術は、例えば、特開平１１−１７４３１４号公報に記載されている。
【０００４】
【発明が解決しようとする課題】
しかしながら、自動合焦動作後に手動操作による合焦動作をさらに行う場合（すなわち、ＤＭＦ動作を行う場合）において、手動操作によって合焦状態は適切な状態となったとしても、露出制御のためのＡＥエリアは変更されないため、適切な露出制御が行われないことがあるという問題がある。
【０００５】
そこで、本発明は前記問題点に鑑み、自動合焦動作後にさらに手動合焦動作を行う場合において、より適切な露出制御を行うことが可能なデジタルカメラを提供することを目的とする。
【０００６】
【課題を解決するための手段】
上記目的を達成するため、請求項１の発明は、デジタルカメラであって、撮影レンズと、前記撮影レンズを介して被写体の画像を撮像する撮像手段と、前記撮像手段により撮像された画像内の合焦状態評価領域についての合焦用評価値を用いて前記撮影レンズの焦点位置を調整する自動合焦制御手段と、前記自動合焦制御手段による前記焦点位置の調整後に、手動操作に応じて前記撮影レンズのレンズ位置を移動させて前記焦点位置をさらに調整する手動合焦動作を行う手動合焦制御手段と、その測光中心位置が互いに異なる複数の測光領域の中から、前記手動合焦動作後のレンズ位置に応じた測光領域を対象測光領域として選択し、当該対象測光領域に関する露出制御用の評価値に基づいて露出制御パラメータの値を決定する第１方式の露出制御を行うことが可能な露出制御手段と、を備えることを特徴とする。
【０００７】
請求項２の発明は、請求項１の発明に係るデジタルカメラにおいて、前記露出制御手段による露出制御方式を、前記第１方式と平均測光方式とを含む複数の方式のいずれかに設定する設定手段、をさらに備え、前記露出制御手段は、前記露出制御方式として前記平均測光方式が設定されているときには、前記レンズ位置の変更に応じて測光領域を変更して露出制御を行うのではなく、前記平均測光方式に用いられる所定の測光領域に関する評価値に基づいて露出制御を行うことを特徴とする。
【０００８】
請求項３の発明は、請求項１の発明に係るデジタルカメラにおいて、前記露出制御手段による露出制御方式を、前記第１方式と前記測光領域の変更を伴わない第２方式とを含む複数の方式のいずれかに設定する設定手段、をさらに備え、前記露出制御手段は、前記設定手段により設定された方式に基づいて、露出制御を行うことを特徴とする。
【０００９】
請求項４の発明は、請求項１の発明に係るデジタルカメラにおいて、露出状態の変動を禁止し露出制御パラメータの値を固定するＡＥロックを設定するＡＥロック設定手段、をさらに備え、前記露出制御手段は、前記ＡＥロックが設定されている場合には前記ＡＥロックを前記第１方式の露光制御に優先させ、手動操作によりレンズ位置が移動されたときでも露出状態の変動を禁止することを特徴とする。
【００１０】
請求項５の発明は、請求項１の発明に係るデジタルカメラにおいて、前記露出制御手段は、前記第１方式の露出制御において、複数の合焦状態評価領域の中から、その合焦用評価値が前記手動合焦動作後の前記レンズ位置において所定値よりも大きな値を有するという条件に適合する合焦状態評価領域である適合領域が存在するときには、前記適合領域に対応する測光領域を前記対象測光領域として選択し、前記適合領域が存在しないときには、予め定められた測光領域を前記対象測光領域として選択することを特徴とする。
【００１１】
【発明の実施の形態】
以下、本発明の実施形態を図面に基づいて説明する。
【００１２】
＜Ａ．構成＞
＜構成概要＞
図１、図２及び図３は、本発明の実施形態に係るデジタルカメラ（より詳細にはデジタルスチルカメラ）１の外観構成を示す図であり、図１は正面図、図２は上面図、図３は背面図に相当する。これらの図は必ずしも三角図法に則っているものではなく、デジタルカメラ１の外観を例示することを主眼としている。
【００１３】
デジタルカメラ１の正面側には撮影レンズ２が設けられる。この撮影レンズ２はズーム機能を有しており、ズームリング２ａを手動操作で回動させることによって撮影倍率の変更を行うことができるように構成される。
【００１４】
撮影レンズ２の外周部（言い換えれば鏡胴部）２ｂには、フォーカスリング８が設けられている。このフォーカスリング８は、鏡胴部２ｂに対して回動自在であり、その回転量は所定のセンサ（図示せず）によって検出される。そして、この回転量に応じて撮影レンズ２のレンズ位置が変更されることによって、手動操作に応じて焦点位置を調整すること、すなわち手動合焦（以下、「マニュアルフォーカス」あるいは単に「ＭＦ」とも称する）動作が可能になる。
【００１５】
また、このデジタルカメラ１においては、撮影レンズ２のレンズ位置（より詳細には光軸方向におけるレンズ位置）を変更して焦点位置を調整する動作、すなわちフォーカス動作として、このようなマニュアルフォーカス動作だけでなく、自動合焦（以下、「オートフォーカス」あるいは単に「ＡＦ」とも称する）動作も行われる。このＡＦ動作は、具体的には、画像内の合焦状態評価領域に関する合焦用評価値（たとえばコントラスト等）を用いることによって実現される。
【００１６】
さらに、このデジタルカメラ１においては、このオートフォーカス動作の後に引き続いてマニュアルフォーカス動作を行う動作、すなわち、ダイレクトマニュアルフォーカス（以下、ＤＭＦとも称する）動作を行うことも可能である。
【００１７】
また、デジタルカメラ１の上面にはシャッタボタン（レリーズボタン）９が設けられており、該シャッタボタン９はユーザによる半押し状態（状態Ｓ１とも称する）と全押し状態（状態Ｓ２とも称する）とを区別して検出可能な２段階押し込みスイッチとなっており、自動合焦モードが設定されている場合には半押し状態のときに自動合焦制御を開始し、全押し状態のときに記録用画像を撮影するための本撮影動作を開始する。
【００１８】
また、デジタルカメラ１の上面には、「撮影モード」と「再生モード」と「通信モード」とを切替設定するモード切替えダイアル３が設けられている。撮影モードは被写体の撮影を行って画像データの生成を行うモードであり、撮影モードはさらに静止画像撮影モードと動画像撮影モードとに細分化されている。また、再生モードはメモリカード９０に記録された画像データを、デジタルカメラ１の背面側に設けられた液晶ディスプレイ（ＬＣＤ）５に再生表示するモードである。さらに通信モードはデジタルカメラ１の側面に設けられる外部接続インタフェース３８を介して、外部コンピュータ９１等とのデータ転送を行うモードである。このように、デジタルカメラ１は、画像の撮影機能と画像の再生機能とを有している。
【００１９】
デジタルカメラ１の背面には、本撮影動作前のプレビュー用の表示（すなわち、ライブビュー表示）及び記録画像の再生表示等を行うための液晶ディスプレイ５（以下、ＬＣＤとも称する）と、電子ビューファインダ（以下、ＥＶＦとも称する。）４とが設けられている。これらのＬＣＤ５及びＥＶＦ４では、それぞれカラー画像の表示が行われる。
【００２０】
ＬＣＤ５は、液晶および光源を用いて構成される表示部である。ＬＣＤ５には、ライブビュー画像および撮影画像などの画像を含む各種の情報が表示される。
【００２１】
また、デジタルカメラ１の背面にはメニューボタン６が設けられており、このメニューボタン６が押下されることによって各種メニュー画面がＬＣＤ５に表示される。さらに、デジタルカメラ１の背面には、ＬＣＤ５における表示カーソルを４方向に移動させるための十字カーソルボタン７Ｕ，７Ｄ，７Ｌ，７Ｒ及び十字カーソルボタンの中央部に設けられる決定ボタン７Ｃで構成されるコントロールボタン７が設けられている。これらメニューボタン６及びコントロールボタン７を用いることによって、各種撮影パラメータの設定操作が行われる。たとえば、露出制御方式としていずれの方式を採用するかなどについての設定操作が行われる。
【００２２】
さらに、デジタルカメラ１の背面にはＡＥロックボタン４２も配置されている。自動露出（ＡＥ）制御時においては、このＡＥロックボタン（以下、単にロックボタンとも称する）４２を押下することによって、その露出状態の自動調節機能を一時的に停止させること、言い換えれば、その露出状態の変動を禁止し露出制御パラメータの値を固定すること（すなわちＡＥロック）が可能である。
【００２３】
なお、デジタルカメラ１の背面には上記の他にも拡大ボタン３５ａ等の各種操作ボタンが配置される。
【００２４】
さらに、デジタルカメラ１の側面には、着脱自在な記録媒体であるメモリカード９０の挿入装着部が設けられており、本撮影によって得られる画像データはこの挿入装着部にセットされるメモリカード９０に記録される。
【００２５】
＜内部構成＞
次に、デジタルカメラ１の内部構成について説明する。図４は、デジタルカメラ１の内部機能を示すブロック図である。
【００２６】
撮影レンズ２はレンズ駆動部３１によって駆動され、ＣＣＤ撮像素子１０に結像される像の合焦状態を変化させるように構成される。なお、自動合焦（オートフォーカス）設定時には全体制御部２０において画像から自動的に撮影レンズ２のレンズ駆動量が決定され、このレンズ駆動量に基づいて撮影レンズ２が駆動されるのに対し、手動合焦（マニュアルフォーカス）設定時にはユーザによるフォーカスリング８の操作量（回転量）に応じてレンズ駆動量が決定され、このレンズ駆動量に基づいて撮影レンズ２が駆動される。
【００２７】
ＣＣＤ撮像素子１０は被写体像を撮影して電子的な画像信号を生成する撮像手段として機能するものであり、所定数の画素を有し、撮影レンズ２によって結像された被写体の光像を、画素毎にＲ（赤），Ｇ（緑），Ｂ（青）の色成分の画像信号（各画素で受光された画素信号の信号列からなる信号）に光電変換して出力する。タイミングジェネレータ３２は、ＣＣＤ撮像素子１０の駆動を制御するための各種のタイミングパルスを生成するものである。
【００２８】
ＣＣＤ撮像素子１０から得られる画像信号は信号処理回路１１に与えられ、信号処理回路１１において画像信号（アナログ信号）に対して所定のアナログ信号処理が施される。信号処理回路１１は相関二重サンプリング回路（ＣＤＳ）とオートゲインコントロール回路（ＡＧＣ）とを有しており、相関二重サンプリング回路により画像信号のノイズ低減処理を行い、オートゲインコントロール回路でゲインを調整することにより画像信号のレベル調整を行う。
【００２９】
Ａ／Ｄ変換器１２は、画像信号の各画素信号を１２ビットのデジタル信号に変換するものである。Ａ／Ｄ変換器１２は、全体制御部２０から入力されるＡ／Ｄ変換用のクロックに基づいて各画素信号（アナログ信号）を１２ビットのデジタル信号に変換する。
【００３０】
ＷＢ（ホワイトバランス）回路１３は、Ｒ，Ｇ，Ｂの各色成分のレベル変換を行うものである。ＷＢ回路１３は、全体制御部２０で記憶されるレベル変換テーブルを用いてＲ，Ｇ，Ｂの各色成分のレベルを変換する。なお、レベル変換テーブルの各色成分のパラメータ（特性の傾き）は全体制御部２０により、オートまたはマニュアルで、撮影画像毎に設定される。γ補正回路１４は、画素データの階調を補正するものである。
【００３１】
色補正部１５は、γ補正回路１４から入力される画像データに対し、ユーザから設定された色補正に関するパラメータに基づいて色補正を行うとともに、ＲＧＢ色空間で表現されたカラー情報をＹＣｒＣｂ色空間で表現されたカラー情報に変換する。この表色系変換により、全画素について輝度成分値が得られることになる。
【００３２】
解像度変換部１６は、ＣＣＤ撮像素子１０から得られる画像データに対して所定の解像度変換や、領域の切り出しを行うものである。
【００３３】
なお、ライブビュー表示時には、解像度変換部１６によって所定の解像度変換が施された画像データ（画像信号）は、全体制御部２０を介して表示制御部３３に与えられ、ＬＣＤ５及びＥＶＦ４に対してライブビュー画像の表示が行われるとともに、測光演算部１８にも与えられ、自動露出（ＡＥ）制御用の評価値が算出される。これに対し、自動合焦制御時には、解像度変換部１６によって所定の解像度変換が施された画像データは、ＡＦ評価値演算部１７に与えられ、自動合焦（ＡＦ）制御用の評価値（「合焦用評価値」ないし「ＡＦ評価値」とも称する）が算出されるとともに、測光演算部１８にも与えられ、自動露出（ＡＥ）制御用の評価値（「ＡＥ評価値」とも称する）が算出される。このように、ライブビュー時および自動合焦制御時には、それぞれ所定の処理が行われるとともに、被写体に関する画像がＬＣＤ５などに表示される。
【００３４】
ＡＦ評価値演算部１７はユーザによってシャッタボタン９が半押し状態（Ｓ１）とされた場合に機能し、コントラスト方式の自動合焦制御を行うための評価値演算動作が行われる。ここでは、解像度変換部１６から得られるＡＦ評価領域の画像成分に基づいて、水平方向に隣接する２画素間での差分絶対値の総和がＡＦ評価値Ｖｆとして算出される。そしてＡＦ評価値演算部１７において算出されるＡＦ評価値Ｖｆは全体制御部２０へと出力される。
【００３５】
測光演算部１８では、図５に示すように、解像度変換部１６から出力される画像データをブロックに分割し、各ブロックの輝度値に基づいてＡＥ評価値Ｖｅを算出する。測光演算部１８において算出されるＡＥ評価値Ｖｅは全体制御部２０へと出力される。
【００３６】
図５は、測光演算部１８における演算処理を説明する概念図である。図５においては、画像Ｇ０を、１６画素×１６画素のサイズの小ブロックＢｉｊに区分する場合が例示されている。この結果、３２０画素×２４０画素のサイズを有する画像Ｇ０は、横方向に２０ブロック、縦方向に１５ブロック、合計３００のブロックＢｉｊに区分される。そして、ＡＥ評価値Ｖｅは、次の数１に示すように、各ブロックＢｉｊごとに求めた輝度値Ｐｉｊに重み付け係数Ｋｉｊを乗じて合算した値である。
【００３７】
【数１】
2004085914.tif 000003
【００３８】
後述するように、このデジタルカメラ１は複数の露出制御方式を有しており、重み付け係数Ｋｉｊの値は方式毎に異なっている。
【００３９】
画像メモリ３４は、本撮影時にＣＣＤ撮像素子１０で取得され上記の画像処理が施された画像データを一時的に記憶するメモリである。画像メモリ３４は、少なくとも１フレーム分の記憶容量を有している。そして本撮影後に画像のアフタービュー表示等が行われる場合には、画像メモリ３４から表示制御部３３に画像データが与えられ、撮影画像を確認するための画像表示が行われる。また、ユーザによって記録指示が与えられた場合には、画像メモリ３４からメモリカード９０に対して画像データが転送され、画像データの記録保存が行われる。
【００４０】
カードインタフェース（カードＩ／Ｆ）３７は、デジタルカメラ１側面の挿入装着部に対して装着されるメモリカード９０への画像データの書込み及び読出しを行うためのインタフェースである。メモリカード９０に対する画像データの読み書き時には、圧縮・伸張部３６において例えばＪＰＥＧ方式で画像データの圧縮処理又は伸張処理が行われる。また、外部接続インタフェース（外部接続Ｉ／Ｆ）３８は通信ケーブル等を介して外部コンピュータ９１と通信可能にするためのインタフェースであり、例えばＵＳＢ規格に準拠した通信用インタフェース等で実現される。これらカードＩ／Ｆ３７、外部接続Ｉ／Ｆ３８を介して、メモリカード９０や外部コンピュータ９１にセットされるＣＤ−ＲＯＭ等の記録媒体に記録される制御プログラムを、全体制御部２０のＲＡＭ２０ａ又はＲＯＭ２０ｂ内に取り込むことができる。
【００４１】
操作部３５は、上述したモード切替えダイアル３、メニューボタン６、コントロールボタン７、シャッタボタン９、ＡＥロックボタン４２、及び拡大ボタン３５ａ等を含む操作部であり、ユーザがデジタルカメラ１の設定を操作する部材である。
【００４２】
全体制御部２０は内部にＲＡＭ２０ａ及びＲＯＭ２０ｂを備えたマイクロコンピュータによって構成され、マイクロコンピュータが所定の制御プログラムを実行することにより、上記各部を統括的に制御する制御手段として機能する。
【００４３】
図６は、全体制御部２０の一部の機能的構成を示す機能ブロック図である。図６に示すように、全体制御部２０は、自動合焦動作を制御する自動合焦制御部（ＡＦ制御部とも称する）２１と、手動合焦動作を制御する手動合焦制御部（ＭＦ制御部とも称する）２２と、露出制御を行う露出制御部２３とを有している。上記のＤＭＦ動作は、ＡＦ制御部２１とＭＦ制御部２２とが協動することによって実現される。また、露出制御部２３は、撮影者の操作により設定された露出制御方式（測光モード）に基づいて露出制御を行う。なお、露出制御方式および各部の動作については後述する。
【００４４】
＜ＡＥについて＞
次に、デジタルカメラ１の自動露出制御（ＡＥ）について説明する。
【００４５】
デジタルカメラ１は、露出制御方式として、平均測光方式と要部重点測光方式とを切り替え可能に備えている。また、後者の要部重点測光方式は２つのサブモード（追従方式および非追従方式）にさらに区別される。したがって、このデジタルカメラ１は、合計３つの露出制御方式を備えていることになる。また、「露出制御方式」は、「測光モード」の種類によって区別することができる。言い換えれば、測光モードを選択することによって露出制御方式を選択することができる。すなわち、測光モードを選択することは、露出制御方式を選択することと等価である。
【００４６】
これらの露出制御方式（測光モード）の切り替えはメニューボタン６およびコントロールボタン７を用いた操作により行われる。
【００４７】
具体的には、操作者は、メニューボタン６およびコントロールボタン７を用いた適宜の操作によって図７のようなメニュー画面Ｐ１をＬＣＤ５等に表示させ、コントロールボタン７の十字カーソルボタン７Ｕ，７Ｄ，７Ｌ，７Ｒ及び決定ボタン７Ｃを用いて所望の測光モードを選択する。より詳細には、平均測光モードと要部重点測光モードとのうちの所望のモードを選択する。これにより、デジタルカメラ１の露出制御方式は、平均測光方式と要部重点測光方式とのいずれかに選択的に設定される。
【００４８】
また、操作者は、要部重点測光方式を選択した場合には、図８に示されるメニュー画面Ｐ２を用いて、さらに追従方式と非追従方式とのいずれかを選択することができる。具体的には、操作者は、メニューボタン６およびコントロールボタン７を用いた適宜の操作によって図８のようなメニュー画面Ｐ１をＬＣＤ５等に表示させ、コントロールボタン７の十字カーソルボタン７Ｕ，７Ｄ，７Ｌ，７Ｒ及び決定ボタン７Ｃを用いて所望の測光モードを選択する。より詳細には、追従モードと非追従モードとのうちの所望のモードを選択する。これにより、デジタルカメラ１の露出制御方式は、追従方式と非追従方式とのいずれかに選択的に設定される。
【００４９】
以上の操作によって、デジタルカメラ１における露出制御方式は、３つの測光方式、すなわち、平均測光方式、追従方式、および非追従方式のうちの所望の方式に設定される。
【００５０】
各測光モードの説明を大略的に行うと、まず、平均測光モードは、ＬＣＤ５などに表示されるライブビュー画像の全体、例えば図５に示す画像Ｇ０の全領域に基づいて、その領域全体について均一なウエイト配分で測光を行うモードである。このとき、数１における重み付け係数（以下、単に係数とも称する）Ｋｉｊは、全て同一の値となる。言い換えれば、平均測光モードは、係数Ｋｉｊが全て同一となる測光パターンを用いて、露出制御を行うモードである。
【００５１】
また、要部重点測光モードは、画面（画像）内での位置に応じてその測光輝度の重要度を変更するモードである。このモードにおいては、係数Ｋｉｊは、画面内の所定の測光中心位置からの距離に応じて変更される。より詳細には、測光中心位置からの距離が大きいほど係数Ｋｉｊは小さな値となる。このように、要部重点測光モードは、係数Ｋｉｊの値が測光中心位置からの距離に応じて変化する測光パターン（以下、測光パターンＰＥＡとも称する）を用いて露出制御を行うモードである。
【００５２】
図９、図１０、および図１１は、この要部重点測光モードにおいて用いられる３つの測光パターンＰＥＣ，ＰＥＬ，ＰＥＲを示す図である。
【００５３】
より詳細には、要部重点測光モードのうち「追従モード」においては、３つの測光パターンＰＥＣ，ＰＥＬ，ＰＥＲのうちのいずれかがレンズ位置に応じて選択的に採用される。また、要部重点測光モードのうち「非追従モード」においては、ＤＭＦ後のレンズ位置にかかわらず、常に測光パターンＰＥＣが用いられる。なお、図９〜図１１においては、破線で囲まれる小さな矩形領域が、それぞれ、画像Ｇ０における各ブロックＢｉｊを示している。
【００５４】
これらの図に示されるように、３つの測光パターンは、測光における重点部分（言い換えれば、「測光中心位置」）が互いに異なっている。
【００５５】
図９は、画像Ｇ０の中央部の測光輝度を他の部分に比べて重要視する測光パターン（以下、「中央重点パターン」とも称する）ＰＥＣを示す図である。中央重点パターンＰＥＣの測光中心位置は、画像Ｇ０の中央部に存在する。
【００５６】
図１０は、画像Ｇ０の中央左寄りの部分の測光輝度を他の部分に比べて重要視する測光パターン（以下、「左重点パターン」とも称する）ＰＥＬを示す図である。左重点パターンＰＥＬの測光中心位置は画像Ｇ０内の左寄りの位置に存在する。
【００５７】
図１１は、画像Ｇ０の中央右寄りの部分の測光輝度を他の部分に比べて重要視する測光パターン（以下、「右重点パターン」とも称する）ＰＥＲを示す図である。右重点パターンＰＥＲの測光中心位置は画像Ｇ０内の右寄りの位置に存在する。
【００５８】
画像Ｇ０は、図５に示すように、縦方向に１５ブロック、横方向に２０ブロック、合計３００のブロックＢｉｊに分割されている。図９〜図１１においては、各ブロックＢｉｊに対応する係数Ｋｉｊの大きさを濃淡で区別して示している。ここでは、係数Ｋｉｊは、４段階の値（たとえば、１，２／３，１／３，０）のいずれかを有するものとする。図においては、これらの４段階の値のそれぞれは４段階の濃淡で区別して示されている。具体的には、図中において、ブロックＢｉｊの濃度が小さくなるにつれて係数値Ｋｉｊが徐々に小さくなり、最も薄い部分（白色部分）は最も小さな係数値を表現している。
【００５９】
たとえば、図９の中央重点パターンＰＥＣにおいては、係数Ｋｉｊは次のような配分となる。具体的には、係数Ｋｉｊは、中央の８つの濃色ブロック（たとえば（ｉ，ｊ）＝（８，１０）のブロックＢｉｊなど）において最も大きな値（たとえば１．０）となり、逆に最も外側の白色ブロックにおいて最も小さな値（たとえば０．０）になる。また、両者の中間に位置するブロックの係数Ｋｉｊは、両者の中間的な値（たとえば２／３または１／３）となり、ブロックの色が濃い方が大きな値（たとえば２／３）になる。中央重点パターンＰＥＣにおいては、図９に示すように、係数Ｋｉｊは中央に近づくほど段階的に大きな値になる。
【００６０】
また、図１０の左重点パターンＰＥＬは、中央左寄りの位置のブロックＢｉｊを最重要視するパターンである。具体的には、左寄りの位置（ｉ，ｊ）＝（８，７），（８，８）を中心とする８つのブロックＢｉｊにおいて、係数Ｋｉｊは最も大きな値となり、この左寄りの位置から遠ざかるにつれて、係数Ｋｉｊは段階的に小さな値となる。
【００６１】
さらに、図１１の右重点パターンＰＥＲは、中央右寄りの位置のブロックＢｉｊを最重要視するパターンである。具体的には、右寄りの位置（ｉ，ｊ）＝（８，１３），（８，１４）を中心とする８つのブロックＢｉｊにおいて係数Ｋｉｊは最も大きな値となり、この右寄りの位置から遠ざかるにつれて、係数Ｋｉｊは段階的に小さな値となる。
【００６２】
なお、上記の３つの測光パターンＰＥＣ，ＰＥＬ，ＰＥＲにおいては、その測光中心位置（言い換えれば、係数Ｋｉｊの平面的配置における仮想的な重心位置）が互いに異なっており、その測光対象となる主要エリアが互いに相違している。特に、各測光パターンにおける最も外側の部分（図の白色ブロック）の係数Ｋｉｊがゼロの場合には、実際に測光制御の対象となるエリア（白色以外のブロックから構成されるエリア）が、３つの測光パターンＰＥＣ，ＰＥＬ，ＰＥＲの間で互いに相違する。また、各測光パターンにおける最も外側の部分の係数Ｋｉｊがゼロ以外の値の場合であっても、３つの測光パターンＰＥＣ，ＰＥＬ，ＰＥＲは、その測光中心位置が互いに異なっている。したがって、上記の３つの測光パターンＰＥＣ，ＰＥＬ，ＰＥＲは、その測光中心位置が互いに異なる「測光エリア（ないし測光領域）」であるとも表現できる。
【００６３】
この要部重点測光モードにおいては、これらの３つの測光パターンＰＥＣ，ＰＥＬ，ＰＥＲの中から選択されたいずれかの測光パターンを用いて露出制御が行われる。要部重点測光モードにおいては、上述したように、２つのサブモードが存在する。これらの２つのサブモードは、測光パターンの決定手法（選択手法）において互いに相違する。次に、各サブモードにおける測光パターンの決定手法について説明する。
【００６４】
２つのサブモードのうちの一方は、「追従モード」（ないし「測光エリア追従モード」）である。この追従モードは、ダイレクトマニュアルフォーカス（ＤＭＦ）時において、手動操作によるレンズ位置の移動に応じて、測光パターン（測光エリアないし測光領域）を追従させて変更するモードである。また、他の一方は、「非追従モード」（ないし「測光エリア非追従モード」）である。この非追従モードは、ＤＭＦ時において、手動操作によるレンズ位置が移動しても測光パターン（測光エリア）を変更しない（追従させない）モードである。なお、このサブモードの設定は、上述したように、図８のようなメニュー画面Ｐ２を用いて行うことができる。
【００６５】
まず、「追従モード」における測光パターンの選択動作について説明する。
【００６６】
ここでは、オートフォーカス動作に伴って複数のＡＦエリアにおける合焦用評価値（ＡＦ評価値）の変化情報を取得しておき、取得した変化情報に基づいて主被写体の画面内での位置を推定する場合について説明する。
【００６７】
図１２は被写体の一例を示す図であり、最前列中央に二人の人物ＰＮ１，ＰＮ２、その後列の左寄りの位置に一人の人物ＰＮ３が並んでいる。また、図１３は図１２のような被写体を撮像する際のＡＦ動作に伴って取得される合焦用評価値（ＡＦ評価値）の変化情報を示す図である。図１３のグラフにおいては、横軸は撮影レンズ２のレンズ位置Ｘを示しており、縦軸はＡＦ評価値Ｖｆを示している。すなわち、図１３は、レンズ位置Ｘに対するＡＦ評価値Ｖｆの変化を示すグラフである。また、図１３においては、３つのＡＦエリアＦＣ，ＦＬ，ＦＲのそれぞれについてのＡＦ評価値Ｖｆの変化曲線ＬＣ，ＬＬ，ＬＲが示されている。
【００６８】
図１４、図１５、および図１６は、それぞれ、各ＡＦエリアＦＣ，ＦＬ，ＦＲを示す図である。なお、図１４〜図１６においては、破線で囲まれる小さな矩形領域が、それぞれ、画像Ｇ０における各ブロックＢｉｊを示している。
【００６９】
ＡＦエリアＦＣ（図１４の太枠内の領域）は、撮影画像Ｇ０の中央部に設けられている。また、ＡＦエリアＦＬ（図１５の太枠内の領域）は、撮影画像Ｇ０の中央左寄りの位置に設けられている。さらに、ＡＦエリアＦＲ（図１６の太枠内の領域）は、撮影画像の中央右寄りの位置に設けられている。
【００７０】
測光パターンの選択に際して、３つのＡＦエリアと３つの測光パターンとの対応関係を予め規定しておく。具体的には、ＡＦエリアＦＣと測光パターンＰＥＣとを対応付け、ＡＦエリアＦＬと測光パターンＰＥＬとを対応付け、ＡＦエリアＦＲと測光パターンＰＥＲとを対応付けておく。この対応関係は、各ＡＦエリア（合焦状態評価領域）の中心位置と各測光パターンについての測光中心位置（ないし重心位置）との近接度に基づいて設定される。具体的には、画面中央にその測光中心位置を有する測光パターンＰＥＣ（図９）に対しては、画面中央にその中心位置が存在するＡＦエリアＦＣ（図１４）が対応付けられる。また、画面の中央左寄りにその測光中心位置を有する測光パターンＰＥＬ（図１０）に対しては、画面の中央左寄りにその中心位置が存在するＡＦエリアＦＬ（図１５）が対応付けられる。そして、画面の中央右寄りにその測光中心位置を有する測光パターンＰＥＲ（図１１）に対しては、画面の中央右寄りにその中心位置が存在するＡＦエリアＦＲ（図１６）が対応付けられる。
【００７１】
ＡＦエリアＦＣは、画面内において、最前列中央の人物ＰＮ１に対応する位置に存在する。したがって、ＡＦエリアＦＣに関する変化曲線ＬＣが極大値になるときのレンズ位置ＸＣ（図１３）は、この最前列中央の人物ＰＮ１を合焦状態にするレンズ位置となる。
【００７２】
同様に、ＡＦエリアＦＬは、画面内において、左側後列の人物ＰＮ３に対応する位置に存在する。したがって、ＡＦエリアＦＬに関する変化曲線ＬＬが極大値になるときのレンズ位置ＸＬ（図１３）は、この左側後列の人物ＰＮ３を合焦状態にするレンズ位置となる。
【００７３】
また、ＡＦエリアＦＲは、画面内において、手前側の人物には対応せず奥の背景（具体的には、遠方の山）に対応する位置に存在する。したがって、ＡＦエリアＦＲに関する変化曲線ＬＬに示されるように、ＡＦエリアＦＲにおけるＡＦ評価値は、無限遠で最も大きくなり、極大値を有していない。
【００７４】
この実施形態においては、オートフォーカス動作は、３つのＡＦエリアのうち、ＡＦエリアＦＬ，ＦＲの変化情報を用いず、中央のＡＦエリアＦＣの変化情報のみに基づいて、オートフォーカス動作を行うものとする。その一方で、ＡＦエリアＦＬ，ＦＲの変化情報を用いて、露光制御における測光パターンを選択する。
【００７５】
具体的には、オートフォーカス動作は中央のＡＦエリアＦＣの変化情報に基づいて行われるため、オートフォーカス動作終了後において撮影レンズ２は位置ＸＣに一旦移動される。これにより、画面においてＡＦエリアＦＣ内に存在する、最前列中央の人物ＰＮ１が合焦状態にされる。
【００７６】
しかしながら、撮影者が本来はこの人物ＰＮ１ではなく左側後列の人物ＰＮ３を合焦状態にしたい場合等が想定される。この場合には、撮影者は、自動合焦動作後の手動合焦動作、すなわちダイレクトマニュアルフォーカス（ＤＭＦ）動作によってレンズ位置を移動させて、所望の被写体、すなわち人物ＰＮ３を合焦状態にすることができる。
【００７７】
この実施形態の追従モードでは、ＤＭＦ動作によって合焦状態にされた被写体が画面内のどの位置に存在するかを、３つのＡＦエリアＦＣ，ＦＬ，ＦＲについてのＡＦ評価値に基づいて決定する。
【００７８】
ここでは、ＤＭＦ動作によって、位置ＸＬに近い位置Ｘａ９（図１３）にレンズ位置が変更されて、左側後列の人物ＰＮ３が合焦状態にされたと仮定する。このとき、位置Ｘａ９においては、３つの曲線ＬＣ，ＬＬ，ＬＲのうち曲線ＬＬにおけるＡＦ評価値が、最も大きな評価値を有している。したがって、この曲線ＬＬに対応するＡＦエリアＦＬが、主被写体の画像内における存在位置として推定される。そこで、露出制御部２３は、このＡＦエリアＦＬに対応する測光パターンＰＥＬを、ＤＭＦ動作後の露出制御の対象となる測光パターン（以下、「対象測光パターン」ないし「対象測光領域」とも称する）として選択する。これにより、ＤＭＦ動作後のレンズ位置に応じて、複数の測光パターンの中から、対象測光パターン（対象測光領域）を選択することができる。その後、この対象測光パターンに関する評価値に基づいて露出制御値（たとえばシャッタスピードおよび絞り値など）が定められる。
【００７９】
以上のように、追従モードにおいては、ＤＭＦ動作後のレンズ位置に応じて、対象測光パターンが選択され、選択された対象測光パターンに基づいて露出制御が行われる。
【００８０】
一方、非追従モードにおいては、ＤＭＦ動作後のレンズ位置ではなく、所定の測光パターンに基づいて露光制御が行われる。この実施形態においては、上述したように、常に測光パターンＰＥＣに基づいて露光制御を行うものとする。
【００８１】
＜Ｂ．動作＞
＜動作概要＞
図１７は、デジタルカメラ１におけるＡＦ動作およびＡＥ動作を示すフローチャートである。また、図１８および図１９は、一部の動作の詳細を示すフローチャートである。なお、これらの動作は、全体制御部２０で実行される。
【００８２】
まず、ステップＳＰ１では、シャッタボタン９が撮影者によって半押し状態（Ｓ１）にされたか否かを判定する。ここで、半押し状態Ｓ１にされたと判定される場合にはステップＳＰ２に進む。
【００８３】
ステップＳＰ２では、合焦位置を自動的に検出する処理、すなわちＡＦ処理を行う。このＡＦ処理の詳細については後述する。また、このＡＦ処理が終了すると、デジタルカメラ１におけるＤＭＦ操作が可能になる。
【００８４】
ステップＳＰ３では、ＡＥ制御に用いられる測光パターンの選択動作が行われる。具体的には、設定された露出制御方式に応じて適宜の測光パターンが選択される。この選択動作の詳細については後述する。
【００８５】
次のステップＳＰ５では、ステップＳＰ３で選択された測光パターンを用いて測光値演算が行われ、算出されたＡＥ評価値に基づいてシャッタスピードおよび絞り値などの露出制御パラメータが決定される。なお、ここでは、露出制御パラメータのうち撮像感度については固定値を用いるものとするが、撮像感度の値をＡＥ評価値に基づいて変更するようにしてもよい。
【００８６】
ステップＳＰ６においては、所定時間内にシャッタボタン９が全押し状態Ｓ２にされたか否かを判定する。
【００８７】
具体的には、所定時間内に全押し状態Ｓ２にされなかったと判定される場合には、この処理を終了する。また、この所定時間内にシャッタボタン９の押下が解除された場合にもこの処理を終了する。
【００８８】
一方、全押し状態Ｓ２にされていると判定される場合には、ステップＳＰ７に進み、ステップＳＰ５で決定されたシャッタスピードおよび絞り値などの露出制御パラメータを用いて、撮像処理が実行される。その後、メモリカード９０への記録処理が実行される。これにより、ＡＦ動作およびＡＥ動作を伴った撮影動作が完了する。
【００８９】
＜ＡＦ処理＞
次に、図１８を参照しながら、ステップＳＰ２における処理、すなわち、ＡＦ処理について詳細に説明する。ＡＦ処理は、ＡＦ制御部２１の制御下において行われる。このＡＦ処理に際しては、撮影レンズ２を駆動しながら各ＡＦエリアについて、撮影レンズ２の可動範囲を所定ピッチで区分した複数の位置ＸａｉにおけるＡＦ評価値が求められる。ここでは、複数の位置Ｘａｉとして、レンズ位置Ｘａ１〜Ｘａ１２（図１３参照）の１２段階に設定した場合を例示する。なお、その後、中央のＡＦエリアＦＣのＡＦ評価値に基づいて合焦位置が検出され、撮影レンズ２はその合焦位置に移動され、自動合焦動作が終了する。
【００９０】
詳細にはまず、ステップＳＰ２１において、カウンタｉに初期値として１を代入する。
【００９１】
ステップＳＰ２２では、カウンタｉに対応するレンズ位置Ｘａｉに撮影レンズ２を移動させる。
【００９２】
ステップＳＰ２３では、中央のＡＦエリアＦＣについての合焦評価値を求める。具体的には、ＡＦエリアＦＣに対応する画像データを取得し、その画像データに基づいてＡＦ評価値を算出する。そして、算出したＡＦ評価値をレンズ位置Ｘａｉに対応付けて格納する。より詳細には、ＶＣ（ｉ）に格納する。
【００９３】
また、ステップＳＰ２４では、同様に、左側のＡＦエリアＦＬについての合焦評価値を求める。具体的には、ＡＦエリアＦＬに対応する画像データを取得し、その画像データに基づいてＡＦ評価値を算出する。そして、算出したＡＦ評価値をレンズ位置Ｘａｉに対応付けて格納する。より詳細には、ＶＬ（ｉ）に格納する。
【００９４】
さらに、ステップＳＰ２５では、同様に、右側のＡＦエリアＦＲについての合焦評価値を求める。具体的には、ＡＦエリアＦＲに対応する画像データを取得し、その画像データに基づいてＡＦ評価値を算出する。そして、算出したＡＦ評価値をレンズ位置Ｘａｉに対応付けて格納する。より詳細には、ＶＲ（ｉ）に格納する。
【００９５】
次のステップＳＰ２６では、カウンタｉが１２であるか否かを判定する。ここで、ｉが１２でない場合にはステップＳＰ２７に進み、ｉを１つインクリメントしてステップＳＰ２２に戻り同様の処理を繰り返す。
【００９６】
一方、ｉが１２である場合にはステップＳＰ２８に進む。言い換えれば、３つのＡＦエリアについて、それぞれ、１２段階のＡＦ評価値の変化状況を取得すると、ステップＳＰ２８に進む。
【００９７】
ステップＳＰ２８では、中央のＡＦエリアＦＣにおけるＡＦ評価値の変化情報を用いて合焦位置を算出する。具体的には、その変化曲線ＬＣ（図１３参照）の極大値を求め、極大値に対応するレンズ位置を合焦位置として求める。このとき、補間演算を用いれば、合焦位置を高精度に求めることが可能である。図１３の場合には、位置ＸＣが合焦位置として求められる。
【００９８】
ステップＳＰ２９においては、ステップＳＰ２８で特定された合焦位置（ＸＣ）にまで撮影レンズ２を駆動する。この結果、上述したように、画面中央のＡＦエリアＦＣ内に存在する被写体が合焦状態となるように焦点位置が調整される。
【００９９】
＜露出制御＞
次に、図１９を参照しながら、ステップＳＰ３における処理、具体的には、ＡＥ制御に用いられる測光パターンの選択処理について詳細について説明する。
【０１００】
ステップＳＰ３１においては測光モードが平均測光モードであるか否かが判定される。
【０１０１】
平均測光モードであると判定される場合には、ステップＳＰ４１に進む。ステップＳＰ４１では、平均測光モードに用いられる測光パターンＰＥＡが対象測光パターンとして選択され、ステップＳＰ４４に進む。この測光パターンＰＥＡは、係数Ｋｉｊが全て同一の測光パターンである。これにより、画面内の輝度がムラ無く全体的に判断される。
【０１０２】
このように、測光モード（露出制御方式）として平均測光モード（平均測光方式）が設定されているときには、レンズ位置の変更に応じて測光領域を変更して露出制御が行われるのではなく、平均測光方式に用いられる所定の測光パターンＰＥＡ（測光領域）に関する評価値に基づいて露出制御が行われる。
【０１０３】
一方、平均測光モードでないと判定される場合、言い換えれば、要部重点測光モードであると判定される場合には、ステップＳＰ３２に進む。
【０１０４】
ステップＳＰ３２においては、この要部重点測光モードにおけるサブモードが、追従モードと非追従モードとのいずれであるかを判定する。
【０１０５】
非追従モードであると判定される場合にはステップＳＰ４２に進む。ステップＳＰ４２においては、測光パターンＰＥＣが対象測光パターンとして選択され、ステップＳＰ４４に進む。これにより、測光モードとして非追従モードが設定されているときには、レンズ位置の変更に応じて測光領域を変更することなく、予め定められた中央重点パターンＰＥＣに基づいて露出制御を行うことになる。
【０１０６】
一方、追従モードであると判定される場合にはステップＳＰ３３に進む。ステップＳＰ３３においては、ＡＥロックボタン４２が押下されているか否かを判定する。
【０１０７】
ＡＥロックボタン４２が押下されていると判定される場合には、ステップＳＰ４２に進む。ステップＳＰ４２においては、中央重点パターンＰＥＣが対象測光パターンとして選択される。したがって、ＡＥロックが設定されているときには、このＡＥロックは、測光パターンの変更を伴う追従モードにおける露光制御に対して優先される。そして、手動操作によりレンズ位置が移動されたときでも、測光パターンは変更されず露出状態の変動は禁止される。具体的には、露出制御部２３は、レンズ位置の変更に応じて測光パターンを変更することなく、予め定められた中央重点パターンＰＥＣを対象測光パターンとして決定する。一方、ＡＥロックボタン４２が押下されていないと判定される場合には、ステップＳＰ３４に進む。
【０１０８】
ステップＳＰ３４においては、フォーカスリング８が回転されたか否かが判定される。フォーカスリング８が回転されていないと判定される場合には、ステップＳＰ４２に進む。一方、フォーカスリング８が回転されたと判定される場合には、ステップＳＰ３５に進む。
【０１０９】
ステップＳＰ３５においては、現在のレンズ位置Ｘｐが取得される。言い換えれば、ダイレクトマニュアルフォーカス（ＤＭＦ）操作によるフォーカスリング８の回転後のレンズ位置Ｘｐが取得される。
【０１１０】
ステップＳＰ３６においては、現在のレンズ位置Ｘｐに対応する３つの評価値ＶＣ（Ｘｐ），ＶＬ（Ｘｐ），ＶＲ（Ｘｐ）のうちの最大値Ｖｍａｘを求める。なお、各評価値ＶＣ，ＶＬ，ＶＲは、それぞれ、レンズ位置Ｘｐを変数とする関数である。
【０１１１】
そして、ステップＳＰ３７においては、その最大値Ｖｍａｘが所定の閾値ＴＨ１よりも大きい（Ｖｍａｘ＞ＴＨ１）という条件Ｃ１に適合するか否かが判定される。最大値Ｖｍａｘが閾値ＴＨ１よりも大きいという条件Ｃ１に適合する場合には、ステップＳＰ４３に進み、最大値Ｖｍａｘが閾値ＴＨ１以下の場合（すなわち、この条件Ｃ１に適合しない場合）にはステップＳＰ４２に進む。なお、最大値Ｖｍａｘが閾値ＴＨ１に等しい場合にはステップＳＰ４３に進むようにしてもよい。
【０１１２】
現在のレンズ位置Ｘｐにおいて、閾値ＴＨ１よりも大きなＡＦ評価値を有するという条件Ｃ１に適合するＡＦエリアを「適合領域」と称するものとする。ステップＳＰ３７においては、そのＡＦ評価値が最大値ＶｍａｘとなるＡＦエリアが適合領域であるか否かが判定されることになる。
【０１１３】
ステップＳＰ４３においては、そのＡＦ評価値がレンズ位置Ｘｐにおいて最大値ＶｍａｘとなるＡＦエリアに対応する測光パターンを求める。たとえば、レンズ位置Ｘｐにおいて、３つのＡＦエリアＦＣ，ＦＬ，ＦＲのうち左寄りのＡＦエリアＦＬの評価値が最大となるとき（言い換えれば、最適化されるとき）には、この左寄りのＡＦエリアＦＬに対応する測光パターンＰＥＬが、ＡＥ制御に用いられる測光パターン（すなわち対象測光パターン）として決定される。
【０１１４】
ステップＳＰ４４においては、現時点で主被写体を含む領域であるとデジタルカメラ１によって認識されている領域をＬＣＤ５（又はＥＶＦ４）に表示する。
【０１１５】
具体的には、ＤＭＦ操作後に合焦状態とされた主被写体を含むＡＦエリアを表示する。たとえば図１２には、ＡＦエリアＦＬが示されている。ここでは、そのＡＦエリアＦＬの境界領域を示す太枠が、ＡＦエリアの代表として、ライブビュー画像に重ねて表示されている。
【０１１６】
このステップＳＰ４４の後、ステップＳＰ５，ＳＰ７に進み、上述したように、対象測光パターンに基づく露出制御が行われる。
【０１１７】
以上のように、この実施形態のデジタルカメラ１によれば、その測光中心位置が互いに異なる複数の測光パターン（測光領域）の中から、手動合焦動作後のレンズ位置に応じた測光パターンを対象測光パターン（対象測光領域）として選択し、当該対象測光パターンに関する露出制御用の評価値に基づいて露出制御パラメータの値が決定される。したがって、自動合焦動作後にさらに手動合焦動作を行う場合において、より正確な露出制御を行うことができる。
【０１１８】
また、自動合焦動作後にさらに手動合焦動作を行う場合において、手動合焦動作後のレンズ位置でそのＡＦ評価値（合焦用評価値）が最適化されるＡＦエリア（合焦状態評価領域）に対応する測光パターンを対象測光パターンとして選択することによって、画面内での主被写体の位置をより正確に推定できる。したがって、さらに正確な露出制御を行うことができる。
【０１１９】
さらに、メニュー画面Ｐ１，Ｐ２などを用いて撮影者によって設定された露出制御方式に基づいて露出制御が行われるので、撮影者の意図を反映させた露出制御を行うことが可能である。たとえば、露出制御方式として平均測光方式が撮影者によって設定されているときには、平均測光方式に用いられる所定の測光領域に関する評価値に基づいて露出制御が行われる。あるいは、非追従方式が露出制御方式として設定されている場合には、ＤＭＦ操作により撮影レンズ２のレンズ位置が変更されても、測光中心位置を変更せず、常に中央重点パターンＰＥＣに基づいて露出制御が行われる。このように、撮影者の意図に沿う露出制御を行うことが可能である。
【０１２０】
また、ＡＥロックが設定されているときには、設定された制御方式に対してＡＥロックが優先的に機能するので、撮影者の意図を反映させた露出制御が行われる。
【０１２１】
さらに、ステップＳＰ３７において適合領域の有無を判定しているので、主被写体の位置が所定程度にまで正確に推定されないときには測光パターン（測光領域）が変更されない。したがって、主被写体の誤検出に起因して、対象測光パターンが不適切な測光パターンに変更されることを防止することができる。また、一般に主被写体は中央に位置することが多いので、このような場合に、中央の測光パターンＰＥＣに基づいて露出制御を行えば、より的確な露出制御を行うことが可能になる。
【０１２２】
また、ＤＭＦ操作後に露出制御の対象となる対象測光領域または対象測光領域に対応する合焦状態評価領域がＬＣＤ５及びＥＶＦ４に表示されるので、どの位置を中心とする測光結果に基づいて露出制御が行われるかが明示される。したがって、操作性を向上させることができる。
【０１２３】
さらに、ステップＳＰ４２において選択される中央重点パターンＰＥＣは、複数のＡＦエリアのうちＡＦ動作において採用されたＡＦエリアＦＣに対応する測光パターンである。したがって、非追従モードの場合、あるいは、追従モードにおいて適合条件が満たされない場合においても、露出制御の対象被写体を自動合焦動作の対象被写体と同一にすることができるので、自然な画像を撮影することが可能になる。
【０１２４】
＜Ｃ．その他＞
上記実施形態においては、その測光中心位置が互いに異なる複数の測光パターン（測光領域）として、要部重点測光モード（より詳細には追従モード）における３つの測光パターンを例示しているが、これに限定されない。より具体的には、選択対象となる複数の測光領域は、測光中心位置が異なっていれば、輝度値の重み付けが領域内で一定であってもよい。たとえば、上記のＡＦエリアＦＣ，ＦＬ，ＦＲと同一領域であって輝度値の重み付けがその内部で均一な領域を測光領域として用いてもよい。なお、この場合においては、各ＡＦエリアＦＣ，ＦＬ，ＦＲに対応する測光領域として、各ＡＦエリア自身を対応させればよい。
【０１２５】
また、上記実施形態においては、ＤＭＦ操作後に合焦状態とされたと推定される主被写体を含むＡＦエリアＦＬをＬＣＤ５（又はＥＶＦ４）に表示する（ステップＳＰ４４）に際して、ＡＦエリアＦＬを示す「枠」が用いられている（図１２）。ただし、これに限定されず、枠ではなく、たとえば、ＡＦエリアＦＬの中心位置を示す記号（十字カーソル）などを、ＡＦエリアを（代表して）示すものとして表示しても良い。
【０１２６】
あるいは、ＤＭＦ操作後に合焦状態とされたと推定される主被写体を含むエリアとして、ＡＦエリアではなく、ＤＭＦ操作後に合焦状態とされた主被写体がその測光中心位置付近に存在する測光パターン（ないし測光エリア）を表示するようにしてもよい。より詳細には、測光パターン内の最重要ブロックの境界領域（ないし主要エリア）を示す枠をその測光パターンの代表として表示するようにしてもよい。あるいは、測光パターンの重要領域の中心位置を示す記号（十字カーソル）などをその測光パターンの代表として表示しても良い。これによっても、どの位置を中心とする測光結果に基づいて露出制御が行われるかが明示されるので、操作性を向上させることができる。
【０１２７】
なお、上述した具体的実施形態には以下の構成を有する発明が含まれている。
【０１２８】
（１）請求項１に記載のデジタルカメラにおいて、
前記複数の測光領域のそれぞれが複数の合焦状態評価領域のうちのいずれの合焦評価領域に対応するかについての対応関係が規定されており、
前記露出制御手段は、前記第１方式の露出制御において、複数の合焦状態評価領域の中から、前記手動合焦動作後の前記レンズ位置でその合焦用評価値が最適化される合焦状態評価領域を選択し、当該選択した合焦状態評価領域に対応する測光領域を当該対象測光領域として選択することを特徴とするデジタルカメラ。
【０１２９】
これによれば、自動合焦動作後にさらに手動合焦動作を行う場合において、手動合焦動作後のレンズ位置でその合焦用評価値が最適化される合焦状態評価領域に対応する測光領域を対象測光領域として選択することによって、画面内での主被写体の位置をより正確に推定できる。したがって、より正確な露出制御を行うことができる。
【０１３０】
（２）前記（１）に記載のデジタルカメラにおいて、
前記対応関係は、各合焦状態評価領域の中心位置と各測光領域の測光中心位置との近接度に基づいて定められることを特徴とするデジタルカメラ。
【０１３１】
（３）請求項５に記載のデジタルカメラにおいて、
前記予め定められた測光領域は、複数の合焦状態評価領域のうち前記自動合焦動作において採用された合焦状態評価領域に対応する測光領域であることを特徴とするデジタルカメラ。
【０１３２】
これによれば、自動合焦動作時の対象被写体を露出制御時の対象被写体とすることが可能である。
【０１３３】
（４）請求項１に記載のデジタルカメラにおいて、
前記対象測光領域を表示する表示手段、
をさらに備えることを特徴とするデジタルカメラ。
【０１３４】
これによれば、操作性を向上させることができる。
【０１３５】
（５）請求項１に記載のデジタルカメラにおいて、
前記対象測光領域に対応する合焦状態評価領域を表示する表示手段、
をさらに備えることを特徴とするデジタルカメラ。
【０１３６】
これによれば、操作性を向上させることができる。
【０１３７】
【発明の効果】
以上のように、請求項１に記載の発明によれば、その測光中心位置が互いに異なる複数の測光領域の中から、手動合焦動作後のレンズ位置に応じた測光領域を対象測光領域として選択し、当該対象測光領域に関する露出制御用の評価値に基づいて露出制御パラメータの値が決定されるので、自動合焦動作後にさらに手動合焦動作を行う場合において、より正確な露出制御を行うことができる。
【０１３８】
請求項２に記載の発明によれば、露出制御方式として平均測光方式が撮影者によって設定されているときには、平均測光方式に用いられる所定の測光領域に関する評価値に基づいて露出制御が行われるので、撮影者の意図に沿う露出制御が行われる。
【０１３９】
請求項３に記載の発明によれば、露出制御手段は、設定手段により設定された方式に基づいて露出制御を行うので、撮影者の意図を反映させた露出制御が行われる。
【０１４０】
請求項４に記載の発明によれば、露出制御手段は、ＡＥロックが設定されているときには、ＡＥロックを第１方式の露光制御に優先させるので、撮影者の意図を反映させた露出制御が行われる。
【０１４１】
請求項５に記載の発明によれば、適合領域が存在しないときには、所定の測光領域を対象測光領域として選択して露出制御が行われる。言い換えれば、主被写体の位置が所定程度正確に推定されないときには測光領域が変更されない。したがって、主被写体の誤検出に起因する測光領域の変更を防止することができる。
【図面の簡単な説明】
【図１】デジタルカメラの外観構成を示す正面図である。
【図２】デジタルカメラの外観構成を示す上面図である。
【図３】デジタルカメラの外観構成を示す背面図である。
【図４】デジタルカメラの内部機能を示すブロック図である。
【図５】ライブビュー画像を複数の小ブロックに区分した状態を示す概念図である。
【図６】全体制御部の一部の機能的構成等を示す機能ブロック図である。
【図７】測光モードを設定するメニュー画面を示す図である。
【図８】サブモードを設定するメニュー画面を示す図である。
【図９】中央重点パターンを示す概念図である。
【図１０】左重点パターンを示す概念図である。
【図１１】右重点パターンを示す概念図である。
【図１２】被写体の一例を示す図である。
【図１３】ＡＦ評価値の変化状況を示す図である。
【図１４】中央に設けられるＡＦエリアを示す図である。
【図１５】左寄りの位置に設けられるＡＦエリアを示す図である。
【図１６】右寄りの位置に設けられるＡＦエリアを示す図である。
【図１７】デジタルカメラにおけるＡＦ動作およびＡＥ動作を示すフローチャートである。
【図１８】ＡＦ動作等を示すフローチャートである。
【図１９】ＡＥ動作の一部を示すフローチャートである。
【符号の説明】
１　デジタルカメラ
２　撮影レンズ
４　電子ビューファインダ（ＥＶＦ）
５　液晶ディスプレイ（ＬＣＤ）
６　メニューボタン
７　コントロールボタン
８　フォーカスリング
９　シャッタボタン
１０　撮像素子
４２　ロックボタン
ＦＣ，ＦＬ，ＦＲ　合焦状態評価領域（ＡＦエリア）
Ｇ０　撮影画像
Ｐ１，Ｐ２　メニュー画面
ＰＥＡ，ＰＥＣ，ＰＥＬ，ＰＥＲ　測光パターン（測光領域）
ＰＮ１〜ＰＮ３　人物
【図１】
2004085914.tif 000004
【図２】
2004085914.tif 000005
【図３】
2004085914.tif 000006
【図４】
2004085914.tif 000007
【図５】
2004085914.tif 000008
【図６】
2004085914.tif 000009
【図７】
2004085914.tif 000010
【図８】
2004085914.tif 000011
【図９】
2004085914.tif 000012
【図１０】
2004085914.tif 000013
【図１１】
2004085914.tif 000014
【図１２】
2004085914.tif 000015
【図１３】
2004085914.tif 000016
【図１４】
2004085914.tif 000017
【図１５】
2004085914.tif 000018
【図１６】
2004085914.tif 000019
【図１７】
2004085914.tif 000020
【図１８】
2004085914.tif 000021
【図１９】
2004085914.tif 000022